(57)【要約】      （修正有）【課題】骨折した湾曲骨の固定をより好適に行う骨固定部材及び骨固定システムを提供する。【解決手段】骨折した右鎖骨Ｂを構成する小骨片部ｂ１及び大骨片部ｂ２に跨るように取り付け固定される骨プレート１であって、小骨片部の表面に配設される第１片部と、第１片部の胸骨側の端部に連続して形成され、大骨片部の表面に配設される第２片部とを具備し、第２片部は、第１片部よりも長尺に、且つ、長手方向に沿う軸周りに捻られて形成されるとともに、大骨片部表面の肩峰側の上面から胸骨側の前面に亘るように配設され、当該第２片部の大骨片部の基端部１２ａ及び自由端部１２ｂの各々には、大骨片部に埋め込まれる第２スクリュー３が挿通される第２挿通孔が少なくとも一つずつ設けられている。【選択図】図１
0003146826.tif 000002
【実用新案登録請求の範囲】
【請求項１】
骨折した湾曲骨を構成する一の骨片部及び前記一の骨片部と異なる他の骨片部に跨るように取り付け固定される骨固定部材であって、
前記一の骨片部の表面に配設される第１片部と、前記第１片部の一端部に連続して形成され、前記他の骨片部の表面に配設される第２片部と、を具備し、
前記第１片部には、前記一の骨片部に埋め込まれる第１埋込部材が挿通される第１挿通孔が設けられ、
前記第２片部は、
前記他の骨片部表面の一面から当該一面と異なる他面に亘るように配設され、
当該第２片部の前記他の骨片部の前記一面及び前記他面に対向する一面対向部及び他面対向部の各々には、前記他の骨片部に埋め込まれる第２埋込部材が挿通される第２挿通孔が少なくとも一つずつ設けられていることを特徴とする骨固定部材。
【請求項２】
前記第２片部は、前記第１片部よりも長尺に、且つ、厚さが略等しい板状をなし、長手方向に沿う軸周りに捻られて形成されてなることを特徴とする請求項１に記載の骨固定部材。
【請求項３】
前記第２挿通孔は、前記一面対向部に設けられたものと前記他面対向部に設けられたものとで当該他の骨片部に対する前記第２埋込部材の埋込方向を異ならせるように前記第２片部に形成されていることを特徴とする請求項１又は２に記載の骨固定部材。
【請求項４】
前記一面対向部は、前記第１片部の一端部に連続して形成されてなることを特徴とする請求項１〜３の何れか一項に記載の骨固定部材。
【請求項５】
前記第２片部の長さは、前記湾曲骨の長さに応じて規定され、
前記第２挿通孔の数は、前記第２片部の長さに応じて規定されていることを特徴とする請求項１〜４の何れか一項に記載の骨固定部材。
【請求項６】
前記湾曲骨の外形に沿うように屈曲されてなることを特徴とする請求項１〜５の何れか一項に記載の骨固定部材。
【請求項７】
前記一の骨片部は、前記湾曲骨の一端部側に設けられ、且つ、前記他の骨片部は、前記湾曲骨の前記一端部よりも中央側に設けられていることを特徴とする請求項６に記載の骨固定部材。
【請求項８】
前記第２片部の前記第２挿通孔が貫通された表裏面部と異なる側部には、その表面から内側に向かって切り欠かれた切欠部が少なくとも一つ設けられていることを特徴とする請求項１〜７の何れか一項に記載の骨固定部材。
【請求項９】
前記第２片部の長手方向に略直交する幅方向の長さは、前記長手方向に沿って略等しくなっていることを特徴とする請求項８に記載の骨固定部材。
【請求項１０】
前記切欠部は、前記第２片部の前記表裏面部と異なる両側部に設けられていることを特徴とする請求項８又は９に記載の骨固定部材。
【請求項１１】
前記第１挿通孔は、複数設けられていることを特徴とする請求項１〜１０の何れか一項に記載の骨固定部材。
【請求項１２】
前記湾曲骨は、鎖骨であることを特徴とする請求項１〜１１の何れか一項に記載の骨固定部材。
【請求項１３】
左右の鎖骨の各々に対応して設けられていることを特徴とする請求項１２に記載の骨固定部材。
【請求項１４】
請求項１〜１３の何れか一項に記載の骨固定部材と、
前記第１片部の前記第１挿通孔に挿通される前記第１埋込部材と、
前記第２片部の前記第２挿通孔に挿通される前記第２埋込部材と、
を備えることを特徴とする骨固定システム。
【考案の詳細な説明】
【技術分野】
【０００１】
本考案は、骨折した湾曲骨、特に、鎖骨を固定するための骨固定部材及び骨固定システムに関する。
【背景技術】
【０００２】
従来より、鎖骨骨折は、大腿骨頚部骨折、橈骨骨折及び上腕骨骨折などと同様に非常に発生頻度の高い骨折の一つとして知られている。
鎖骨は、外形がＳ字状に湾曲されてなり、当該鎖骨骨折のほとんどは、中央１／３部分（いわゆる骨幹部）や遠位部分（肩峰側）で生じ、近位部分(胸骨側)では稀となっている。
【０００３】
鎖骨骨折に対する治療法として、保存療法や手術療法が知られている。
このうち、保存療法は、骨折部を必要に応じて整復した後に鎖骨バンド等を用いて肩甲帯を固定したり、三角巾等を用いて上腕骨を吊るしておく方法であり、主に小児において頻繁に施行されるものである。
【０００４】
手術療法としては、Ｋワイヤーや中空螺子を経皮的又は小切開にて挿入して固定する髄内固定法と、プレートを用いるプレート固定法がある。
このうち、プレート固定法は、経皮的固定法や髄内固定法に比べて切開が大きくなり大きな傷が残存するものの、骨折した鎖骨を直接整復することができ、さらに、プレートとスクリューによってしっかりと固定することができる。また、複雑な形状をした骨の形状に適合させる自由度が高いといった利点もある。さらに、経皮的固定法や髄内固定法に比べて、比較的早期に社会復帰が可能となるという利点もある。
【０００５】
また、プレート固定法としては、骨折した大腿骨、腓骨、脛骨、上腕骨、橈骨及び尺骨などの長骨を固定する方法や（例えば、特許文献１参照）、上腕骨近位部の骨折を治療するための方法が開示されている（例えば、特許文献２参照）。
【特許文献１】特開２００２−３４５８３６号公報
【特許文献２】特開２００５−３０４６０７号公報
【考案の開示】
【考案が解決しようとする課題】
【０００６】
ところで、プレート固定法は、鎖骨の回旋に対しても、脱転を生じる恐れのある経皮的固定法や髄内固定法に比べて、より適正に固定して対応することができるといった利点がある。しかしながら、鎖骨の回旋に拮抗しようとして、鎖骨上方からより強固にプレート固定し過ぎると、骨がつかない、所謂、偽関節になる虞がある。かかる問題は、鎖骨の湾曲した外形形状に由来するものであると考えられることから、上記特許文献１、２に開示されたプレート固定法を単純に適用しても解消することはできない。
【０００７】
また、鎖骨は外形が複雑に湾曲しているため、施術者が直線状又は平面状のプレートを患者の鎖骨外形形状に適正に合わせることは困難であり、当該技術を習得する必要があるといった問題もある。
【０００８】
そこで、本考案の課題は、骨折した湾曲骨の固定をより好適に行うことができる骨固定部材及び骨固定システムを提供することである。
【課題を解決するための手段】
【０００９】
上記課題を解決するため、請求項１に記載の考案の骨固定部材は、
骨折した湾曲骨を構成する一の骨片部及び前記一の骨片部と異なる他の骨片部に跨るように取り付け固定される骨固定部材であって、前記一の骨片部の表面に配設される第１片部と、前記第１片部の一端部に連続して形成され、前記他の骨片部の表面に配設される第２片部と、を具備し、前記第１片部には、前記一の骨片部に埋め込まれる第１埋込部材が挿通される第１挿通孔が設けられ、前記第２片部は、前記他の骨片部表面の一面から当該一面と異なる他面に亘るように配設され、当該第２片部の前記他の骨片部の前記一面及び前記他面に対向する一面対向部及び他面対向部の各々には、前記他の骨片部に埋め込まれる第２埋込部材が挿通される第２挿通孔が少なくとも一つずつ設けられていることを特徴としている。
【００１０】
請求項２に記載の考案は、請求項１に記載の骨固定部材において、
前記第２片部は、前記第１片部よりも長尺に、且つ、厚さが略等しい板状をなし、長手方向に沿う軸周りに捻られて形成されてなることを特徴としている。
【００１１】
請求項３に記載の考案は、請求項１又は２に記載の骨固定部材において、
前記第２挿通孔は、前記一面対向部に設けられたものと前記他面対向部に設けられたものとで当該他の骨片部に対する前記第２埋込部材の埋込方向を異ならせるように前記第２片部に形成されていることを特徴としている。
【００１２】
請求項４に記載の考案は、請求項１〜３の何れか一項に記載の骨固定部材において、
前記一面対向部は、前記第１片部の一端部に連続して形成されてなることを特徴としている。
【００１３】
請求項５に記載の考案は、請求項１〜４の何れか一項に記載の骨固定部材において、
前記第２片部の長さは、前記湾曲骨の長さに応じて規定され、前記第２挿通孔の数は、前記第２片部の長さに応じて規定されていることを特徴としている。
【００１４】
請求項６に記載の考案は、請求項１〜５の何れか一項に記載の骨固定部材において、
前記湾曲骨の外形に沿うように屈曲されてなることを特徴としている。
【００１５】
請求項７に記載の考案は、請求項６に記載の骨固定部材において、
前記一の骨片部は、前記湾曲骨の一端部側に設けられ、且つ、前記他の骨片部は、前記湾曲骨の前記一端部よりも中央側に設けられていることを特徴としている。
【００１６】
請求項８に記載の考案は、請求項１〜７の何れか一項に記載の骨固定部材において、
前記第２片部の前記第２挿通孔が貫通された表裏面部と異なる側部には、その表面から内側に向かって切り欠かれた切欠部が少なくとも一つ設けられていることを特徴としている。
【００１７】
請求項９に記載の考案は、請求項８に記載の骨固定部材において、
前記第２片部の長手方向に略直交する幅方向の長さは、前記長手方向に沿って略等しくなっていることを特徴としている。
【００１８】
請求項１０に記載の考案は、請求項８又は９に記載の骨固定部材において、
前記切欠部は、前記第２片部の前記表裏面部と異なる両側部に設けられていることを特徴としている。
【００１９】
請求項１１に記載の考案は、請求項１〜１０の何れか一項に記載の骨固定部材において、
前記第１挿通孔は、複数設けられていることを特徴としている。
【００２０】
請求項１２に記載の考案は、請求項１〜１１の何れか一項に記載の骨固定部材において、
前記湾曲骨は、鎖骨であることを特徴としている。
【００２１】
請求項１３に記載の考案は、請求項１２に記載の骨固定部材において、
左右の鎖骨の各々に対応して設けられていることを特徴としている。
【００２２】
請求項１４に記載の考案の骨固定システムは、
請求項１〜１３の何れか一項に記載の骨固定部材と、前記第１片部の前記第１挿通孔に挿通される前記第１埋込部材と、前記第２片部の前記第２挿通孔に挿通される前記第２埋込部材と、を備えることを特徴としている。
【考案の効果】
【００２３】
本考案によれば、骨折した湾曲骨を構成する他の骨片部表面の一面から当該一面と異なる他面に亘るように第２片部が配設されるので、一面対向部の第２挿通孔に挿通される第２埋込部材と他面対向部の第２挿通孔に挿通される第２埋込部材とを他の骨片部に対して異なる方向に埋め込むことができ、当該湾曲骨の回旋による一の骨片部及び他の骨片部の動きを適正に防止することができる。さらに、骨固定部材を第２埋込部材により湾曲骨に対してより強固に固定する必要がなくなり、従来のように、骨がつかない、所謂、偽関節になることを防止することができる。
従って、骨折した湾曲骨の固定をより好適に行うことができる。
【考案を実施するための最良の形態】
【００２４】
以下に、本考案について、図面を用いて具体的な態様を説明する。ただし、考案の範囲は、図示例に限定されない。
図１は、本考案を適用した好適な一実施形態として例示する骨プレートシステム１００を右鎖骨Ｂに取り付けた状態を頭側から視て示した図であり、図２は、骨プレートシステム１００を右鎖骨Ｂに取り付けた状態を腹側から視て示した図である。
なお、以下の説明では、骨プレート１が右鎖骨Ｂに取り付けられた状態で、頭側を上側とし、肩峰端側を右側とするとともに鎖骨端側を左側とし、腹側を前側とするとともに背中側を後側とする。
【００２５】
本実施形態の骨プレートシステム（骨固定システム）１００は、図１及び図２に示すように、骨折した鎖骨、例えば、右鎖骨Ｂに取り付け固定されて当該右鎖骨Ｂの固定及び安定化を図るプレート固定法に用いられるものである。
具体的には、骨プレートシステム１００は、骨折した右鎖骨Ｂに沿って配設される骨プレート１と、この骨プレート１の第１挿通孔１１ｃ（図３（ａ）等参照；後述）に挿通される第１スクリュー２と、骨プレート１の第２挿通孔１２ｃ（図３（ａ）等参照；後述）に挿通される第２スクリュー３とを備えている。
【００２６】
先ず、骨プレート１について、図３（ａ）及び図３（ｂ）を参照して詳細に説明する。
図３（ａ）は、骨プレート１を右鎖骨Ｂに取り付けた場合に頭側となる方向から見て示した図であり、図３（ｂ）は、骨プレート１を右鎖骨Ｂに取り付けた場合に腹側となる方向から見て示した図である。
【００２７】
骨プレート（骨固定部材）１は、右鎖骨Ｂの外形に沿うように外形が平面視にて略「へ」字状に屈曲されてなり、右鎖骨Ｂを構成する小骨片部（一の骨片部）ｂ１及び大骨片部（他の骨片部）ｂ２に跨るように配設される（図１及び図２参照）。
具体的には、図３（ａ）及び図３（ｂ）に示すように、骨プレート１は、厚さが略等しい板状に形成され、右鎖骨Ｂの肩峰側（一端部側）に設けられた小骨片部ｂ１の表面に配設される第１片部１１と、第１片部１１の胸骨側の端部に連続して形成され、右鎖骨Ｂの胸骨側（一端部よりも中央側）に設けられた大骨片部ｂ２の表面に配設される第２片部１２とを具備している。
【００２８】
第１片部１１は、肩峰側の広面部１１ａと、この広面部１１ａの胸骨側の端部に連設された狭面部１１ｂとを備えている。
広面部１１ａは、当該骨プレート１が右鎖骨Ｂに取り付けられた状態で、右手前側から左奥側に延在するように形成されている。一方、狭面部１１ｂは、広面部１１ａと異なる所定方向、即ち、広面部１１ａの胸骨側の端部から左手前側に延在するように形成されている。
このように、広面部１１ａ及び狭面部１１ｂは、全体として略「へ」字状に屈曲するように形成されている。
【００２９】
また、第１片部１１には、小骨片部ｂ１に埋め込まれる第１スクリュー２が挿通される第１挿通孔１１ｃが複数、例えば、４つ形成されている。具体的には、第１挿通孔１１ｃは、例えば、広面部１１ａに３つ設けられ、狭面部１１ｂに１つ設けられている。
第１挿通孔１１ｃは、第１片部１１を表裏に貫通するように形成されている。また、第１挿通孔１１ｃの内径は、第１スクリュー２のネジ径とほぼ等しいか、或いは、これよりも大径とされるとともに、第１スクリュー２のネジ頭部の外径よりも小径とされている。
【００３０】
なお、本実施形態では、狭面部１１ｂに形成された第１挿通孔１１ｃは、小骨片部ｂ１と大骨片部ｂ２との接合部分であることから、第１スクリュー２は挿通されていないが、第１スクリュー２を挿通して小骨片部ｂ１に螺子込むようにしても良い。
【００３１】
第２片部１２は、第１片部１１の狭面部１１ｂの胸骨側の端部に連続して形成されている。また、第２片部１２は、第１片部１１よりも長尺に形成され、狭面部１１ｂの幅と略等しい幅を有し、その幅が当該第２片部１２の長手方向に沿って略等しくなっている。
また、第２片部１２の大骨片部ｂ２表面に対向する裏面が第１片部１１の小骨片部ｂ１表面に対向する裏面よりも下側となるように、第１片部１１と第２片部１２は、接続部分で屈曲するように連設されている。
【００３２】
第２片部１２には、大骨片部ｂ２に埋め込まれる第２スクリュー３が挿通される第２挿通孔１２ｃが長手方向に沿って並ぶように所定間隔を空けて複数、例えば、６つ形成されている。
第２挿通孔１２ｃは、第２片部１２を表裏に貫通するように形成されている。また、第２挿通孔１２ｃの内径は、第２スクリュー３のネジ径とほぼ等しいか、或いは、これよりも大径とされるとともに、第２スクリュー３のネジ頭部の外径よりも小径とされている。
【００３３】
また、第２片部１２は、長手方向に沿う軸周りに右鎖骨Ｂの外形に沿うように捻られてなり、大骨片部ｂ２表面の肩峰側の上面（一面）から胸骨側の前面（他面）に亘るように配設されている（図１及び図２参照）。つまり、第２片部１２は、肩峰側の基端部（一面対向部）１２ａが大骨片部ｂ２の肩峰側の上面に対向してなり、先端（胸骨）側になるにつれて大骨片部ｂ２表面のより前側の面に対向するように捻られている。
これにより、第２片部１２の第２挿通孔１２ｃに挿通されて大骨片部ｂ２に埋め込まれる第２スクリュー３の螺子込方向（埋込方向）は、第２片部１２の大骨片部ｂ２表面の肩峰側の上面に対向する基端部１２ａに設けられた第２挿通孔１２ｃと、大骨片部ｂ２表面の胸骨側の前面に対向する自由端部（他面対向部）１２ｂに設けられた第２挿通孔１２ｃとで異なるようになっている。
【００３４】
また、第２片部１２の第２挿通孔１２ｃが貫通された表裏面部と異なる両側部１２ｄ、１２ｄの各々には、表面から内側に向かって切り欠かれた切欠部１２ｅが複数、例えば、５つ形成されている。
切欠部１２ｅは、例えば、略三角形状をなし、長手方向に沿って並ぶように所定間隔を空けて設けられている。
なお、切欠部１２ｅの形状は、略三角形状に限られるものではなく、適宜任意に変更することができる。
【００３５】
次に、第１スクリュー２及び第２スクリュー３について説明する。
第１スクリュー２は、第１埋込部材として、第１片部１１の第１挿通孔１１ｃに挿通されて小骨片部ｂ１の所定位置に螺子込まれて埋め込まれるものである。
また、第２スクリュー３は、第２埋込部材として、第２片部１２の第２挿通孔１２ｃに挿通されて大骨片部ｂ２の所定位置に螺子込まれて埋め込まれるものである。
第１スクリュー２及び第２スクリュー３としては、例えば、ネジ径３．５ｍｍのコーティカルスクリューを用いることができる。
【００３６】
なお、第１スクリュー２及び第２スクリュー３として、ネジ径３．５ｍｍのコーティカルスクリューを例示したが、これに限られるものではなく、ネジ径や種類は適宜任意に変更することができる。例えば、ネジ径４．０ｍｍのキャンセラススクリューフルスレッドや、ネジ径４．０ｍｍのキャンセラススクリューハーフスレッド等を用いても良い。
また、第１スクリュー２と第２スクリュー３とで、ネジ径や種類を適宜任意に変更しても良い。
【００３７】
上記骨プレートシステム１００を構成する各部、即ち、骨プレート１、第１スクリュー２、第２スクリュー３は、例えば、チタン等を所定の比率で含む合金やステンレス等の医療用材料から構成されている。
【００３８】
次に、骨プレートシステム１００の右鎖骨Ｂに対する取り付け方法について説明する。
先ず、骨折した右鎖骨Ｂの外形・寸法から、所定寸法の骨プレート１を選択して、当該骨プレート１の取付位置、即ち、第１スクリュー２及び第２スクリュー３が螺子込まれる位置を特定する。
【００３９】
そして、第１スクリュー２及び第２スクリュー３の螺子込み位置が特定されると、所定順序で第１挿通孔１１ｃ及び第２挿通孔１２ｃに第１スクリュー２及び第２スクリュー３を挿通させるようにしてスクリュードライバ（図示略）により右鎖骨Ｂの小骨片部ｂ１及び大骨片部ｂ２に螺子込んでいく。
本実施形態では、狭面部１１ｂの第１挿通孔１１ｃ以外の全ての第１挿通孔１１ｃに第１スクリュー２が挿通されて小骨片部ｂ１に螺子込まれ、且つ、全ての第２挿通孔１２ｃに第２スクリュー３が挿通されて大骨片部ｂ２に螺子込まれることで、当該右鎖骨Ｂの固定が完了する。
【００４０】
以上のように、本実施形態の骨プレートシステム１００によれば、骨プレート１の第１片部１１よりも長尺な第２片部１２が長手方向に沿う軸周りに捻られて形成されて、骨折した右鎖骨Ｂを構成する大骨片部ｂ２表面の肩峰側の上面から胸骨側の前面に亘るように配設されるので、第１片部１１の狭面部１１ｂに連設された基端部１２ａの第２挿通孔１２ｃに挿通される第２スクリュー３と自由端部１２ｂの第２挿通孔１２ｃに挿通される第２スクリュー３とを大骨片部ｂ２に対して異なる方向に螺子込むことができ、当該右鎖骨Ｂの回旋による小骨片部ｂ１及び大骨片部ｂ２の動きを適正に防止することができる。さらに、骨プレート１を第２スクリュー３により右鎖骨Ｂに対してより強固に固定する必要がなくなり、従来のように、骨がつかない、所謂、偽関節になることを防止することができる。
従って、当該骨プレートシステム１００によって、骨折した右鎖骨Ｂの固定をより好適に行うことができる。
【００４１】
また、骨プレート１の第２片部１２を大骨片部ｂ２表面の肩峰側の上面から胸骨側の前面に亘るように配設するとともに、第１片部１１を小骨片部ｂ１の表面に配設した後、第２片部１２の複数の第２挿通孔１２ｃ、…に第２スクリュー３を挿通するとともに、第１片部１１の複数の第１挿通孔１１ｃ、…に第１スクリュー２を挿通して大骨片部ｂ２に螺子込むことで、骨折した右鎖骨Ｂに骨プレート１を簡便に取り付けることができる。特に、骨プレート１は、右鎖骨Ｂの外形に沿うように略「へ」字状に屈曲されているので、右鎖骨Ｂの小骨片部ｂ１及び大骨片部ｂ２の表面に沿うように当該骨プレート１を配置することができ、骨プレート１の取り付け固定をより簡便に行うことができる。
【００４２】
また、切欠部１２ｅが第２片部１２の両側部１２ｄ、１２ｄに設けられているので、施術中に必要に応じて当該切欠部１２ｅの幅を縮小させるように折曲していくことで第２片部１２に所望の曲率のＲ（アール）をつけるように折曲することができ、右鎖骨Ｂに対する取り付け固定をより適正に行うことができる。
【００４３】
なお、本考案は、上記実施形態に限定されることなく、本考案の趣旨を逸脱しない範囲において、種々の改良並びに設計の変更を行っても良い。
例えば、上記実施形態にあっては、湾曲骨として鎖骨（右鎖骨Ｂ）を例示したが、これに限られるものではなく、外形が湾曲した骨であれば如何なるものであっても良い。
【００４４】
また、鎖骨の長さは身体の大きさによって異なるため、第２片部１２の長さを鎖骨の長さに応じて変更しても良く、例えば、上記実施形態で例示した右鎖骨Ｂに比べて短い鎖骨に対しては、第２片部１２の長さを上記実施形態のものに比べて短くするようにしても良い。
かかる場合において、第２挿通孔１２ｃの数を第２片部１２の長さに応じて適宜任意に変更するようにしても良い。
【００４５】
さらに、上記実施形態にあっては、骨プレート１として、第２挿通孔１２ｃが６つ設けられたものを例示したが、第２挿通孔１２ｃは、第２片部１２の大骨片部ｂ２の肩峰側の一面に対向する基端部１２ａ及び大骨片部ｂ２の胸骨側の他面に対向する自由端部１２ｂに少なくとも一つずつ設けられていれば良い。
【００４６】
また、上記実施形態にあっては、切欠部１２ｅを第２片部１２の両側部１２ｄ、１２ｄに設けるようにしたが、これに限られるものではなく、第２片部１２の何れか一方の側部１２ｄに設けるようにしても良い。
即ち、折曲される第２片部１２の内側の側部１２ｄに所定の切欠部１２ｅが設けられていれば、当該切欠部１２ｅの幅を縮小させるように折曲していくことで、第２片部１２に所望の曲率のＲ（アール）をより簡便につけることができ、鎖骨に対する取り付け固定をより適正に行うことができる。
【００４７】
さらに、上記実施形態にあっては、第１片部１１に第１挿通孔１１ｃを４つ設けるようにしたが、第１挿通孔１１ｃの数はこれに限られるものではなく、適宜任意に変更することができる。このとき、第１挿通孔１１ｃの数に応じて第１片部１１の幅や長さ等の形状を適宜変更するようにしても良い。
【００４８】
また、上記実施形態にあっては、骨固定システムとして、骨プレート１を用いた骨プレートシステム１００を例示したが、これに限られるものではなく、所定の骨固定部材を用いたシステムであれば如何なるシステムであっても良い。
さらに、第２片部１２として、長手方向に沿う軸周りに捻られて形成されたものを例示したが、第２片部１２の形状はこれに限られるものではなく、少なくとも大骨片部ｂ２の一面から当該一面と異なる他面に亘るように配設されたものであれば如何なるものであっても良い。即ち、必ずしも第２片部１２を所定厚の板状に形成して長手方向に沿う軸周りに捻って形成する必要はなく、第２片部１２が大骨片部ｂ２表面の一面から当該一面と異なる他面に亘って配設されるような形状に削り出された骨プレート１であっても良い。
さらに、第２片部１２の裏面を骨の表面と対向させるように、即ち、第２片部１２の裏面が骨の表面から離れ過ぎた状態とならず、且つ、第２片部１２の自由端部１２ｂの先端が骨の表面に食い込まないよう当該第２片部２を適宜湾曲させても良い。
【００４９】
また、上記実施形態にあっては、骨プレートシステム１００として、骨折した右鎖骨Ｂ用のものを例示したが、これに限られるものではなく、左鎖骨用のものであっても良い。
即ち、左鎖骨用の骨プレートシステム１００を構成する骨プレート１は、第１片部１１が左肩甲骨の肩峰側に配置されるとともに第２片部１２が鎖骨端側に配置されている。
【００５０】
加えて、今回開示された実施形態は、全ての点で例示であって制限的なものではないと考えられるべきである。本考案の範囲は、上記した説明ではなくて実用新案登録請求の範囲によって示され、実用新案登録請求の範囲と均等の意味及び範囲内での全ての変更が含まれることが意図される。
【図面の簡単な説明】
【００５１】
【図１】本考案を適用した好適な一実施形態として例示する骨プレートシステムを腹側から視て示した図である。
【図２】図１の骨プレートシステムを頭側から視て示した図である。
【図３】図１の骨プレートシステムを構成する骨プレートを示す図である。
【符号の説明】
【００５２】
１００  骨プレートシステム（骨固定システム）
１      骨プレート（骨固定部材）
１１    第１片部
１１ｃ  第１挿通孔
１２    第２片部
１２ａ  基端部（一面対向部）
１２ｂ  自由端部（他面対向部）
１２ｃ  第２挿通孔
１２ｄ  側部
１２ｅ  切欠部
２      第１スクリュー（第１埋込部材）
３      第２スクリュー（第２埋込部材）
Ｂ      右鎖骨（湾曲骨）
ｂ１    小骨片部（一の骨片部）
ｂ２    大骨片部（他の骨片部）
【図１】
0003146826.tif 000003
【図２】
0003146826.tif 000004
【図３】
0003146826.tif 000005